(57)【要約】【課題】トランジスタの冷却効果を向上させ、半導体集積回路の動作の安定性を向上させることが可能な半導体集積回路装置および半導体集積回路装置の製造方法を提供する。【解決手段】集積回路を形成した半導体基板１に、ビアホール２を形成し、ビアホール２に熱伝導性を有する金属３を埋め込み、埋め込んだ金属３に接触するように、半導体基板１の表裏両面に金属４，５を取り付け、取り付けた金属４，５を、パッケージ６やリッド７に接触させる構造とすることにより、半導体基板１上の集積回路の近傍を直接冷却することを可能とする。金属３，４，５の代わりに、冷却効果が大きな材料例えば炭素や樹脂を用いるようにしても良い。【選択図】図１
2011142199.tif 000002
【特許請求の範囲】
【請求項１】
半導体基板に、ビアホールを形成し、該ビアホールに熱伝導性を有する金属を埋め込み、埋め込んだ該金属に接触するように、前記半導体基板の表裏両面に熱伝導性を有する金属を取り付け、前記半導体基板の表裏両面に取り付けた該金属を、パッケージやリッドに接触させた構造とすることを特徴とする半導体集積回路装置。
【請求項２】
半導体基板に、ビアホールを形成し、該ビアホールに熱伝導性を有する金属を埋め込み、埋め込んだ該金属に接触するように、前記半導体基板の表裏両面に熱伝導性を有する金属を取り付け、前記半導体基板の表裏両面に熱伝導性を有する金属を取り付け、前記半導体基板の表面に取り付けた該金属を、パッケージおよびリッドに接触させ、前記半導体基板の裏面に取り付けた該金属を、フリップチップ実装した電極とは分離させて、前記パッケージに接触させた構造とすることを特徴とする半導体集積回路装置。
【請求項３】
請求項１または２に記載の半導体集積回路装置において、各前記金属の代わりに、冷却効果の大きい他の材料を用いることを特徴とする半導体集積回路装置。
【請求項４】
請求項３に記載の半導体集積回路装置において、前記金属の代わりに用いる前記他の材料として、炭素または樹脂の材料を用いることを特徴とする半導体集積回路装置。
【請求項５】
半導体基板上に集積回路を形成した後、ビアホールを形成する第１の工程と、形成した該ビアホールに熱伝導性を有する金属を埋め込む第２の工程と、埋め込んだ該金属に接触するように、前記半導体基板の表裏両面に熱伝導性を有する金属を取り付ける第３の工程と、前記半導体基板の裏面に取り付けた該金属を、パッケージに接触させる第４の工程と、前記半導体基板の表面に取り付けた該金属を、リッドおよび前記パッケージに接触させる第５の工程と、を少なくとも有することを特徴とする半導体集積回路装置の製造方法。
【請求項６】
半導体基板上に集積回路を形成した後、ビアホールを形成する第１の工程と、形成した該ビアホールに熱伝導性を有する金属を埋め込む第２の工程と、埋め込んだ該金属に接触するように、前記ビアホールの表裏両面に熱伝導性を有する金属を取り付ける第３の工程と、前記半導体基板の裏面に取り付けた該金属を、フリップチップ実装した電極とは分離させて、パッケージに接触させる第４の工程と、前記半導体基板の表面に取り付けた該金属を、リッドおよび前記パッケージに接触させる第５の工程と、を少なくとも有することを特徴とする半導体集積回路装置の製造方法。
【請求項７】
請求項６に記載の半導体集積回路装置の製造方法において、前記第４の工程として、前記半導体基板の裏面に取り付けた前記金属を前記パッケージに接触させるために、フリップチップボンディングを行うことを特徴とする半導体集積回路装置の製造方法。
【請求項８】
請求項５ないし７のいずれかに記載の半導体集積回路装置の製造方法において、前記第２および第３の工程にて用いた各前記金属の代わりに、冷却効果の大きい他の材料を用いることを特徴とする半導体集積回路装置の製造方法。
【請求項９】
請求項８に記載の半導体集積回路装置の製造方法において、前記金属の代わりに用いる前記他の材料として、炭素または樹脂の材料を用いることを特徴とする半導体集積回路装置の製造方法。
【請求項１０】
請求項５ないし９のいずれかに記載の半導体集積回路装置の製造方法において、前記ビアホールは、レジスト、ＳｉＯ２、ＳｉＮ、ＮｉまたはＴｉのいずれかをマスクとして、塩素系、ブロム系、ヨウ素系のいずれかのガスを用いたリアクティブイオンエッチングにより形成することを特徴とする半導体集積回路装置の製造方法。
【発明の詳細な説明】
【技術分野】
【０００１】
本発明は、半導体集積回路装置および半導体集積回路装置の製造方法に関し、特に、半導体集積回路のトランジスタを効果的に冷却することが可能な半導体集積回路装置および半導体集積回路装置の製造方法に関する。
【背景技術】
【０００２】
半導体集積回路のトランジスタを冷却するための実装方法として、特許文献１の特開平０７−２３５６２０号公報「半導体装置とその製造方法およびその実装構造と実装方法」に記載されているような樹脂を封入する方法等が提案されているが、しかし、該特許文献１に代表される従来の冷却用の実装方法は、いずれの実装方法も、半導体基板を間接的に冷却する方法であるために、十分な冷却効果が得られていない。
【先行技術文献】
【特許文献】
【０００３】
【特許文献１】特開平０７−２３５６２０号公報
【発明の概要】
【発明が解決しようとする課題】
【０００４】
本発明は、前述のような問題を解決するためになされたものであり、半導体基板上のトランジスタに近い個所を直接冷却することにより、トランジスタの冷却効果を向上させ、半導体集積回路としての動作の安定性を向上させる半導体集積回路装置および半導体集積回路装置の製造方法を提供することを、その目的としている。
【課題を解決するための手段】
【０００５】
本発明は、前述の課題を解決するために、以下のごとき各技術手段から構成されている。
【０００６】
第１の技術手段は、半導体基板に、ビアホールを形成し、該ビアホールに熱伝導性を有する金属を埋め込み、埋め込んだ該金属に接触するように、前記半導体基板の表裏両面に熱伝導性を有する金属を取り付け、前記半導体基板の表裏両面に取り付けた該金属を、パッケージやリッドに接触させた構造の半導体集積回路装置とすることを特徴とする。
【０００７】
第２の技術手段は、半導体基板に、ビアホールを形成し、該ビアホールに熱伝導性を有する金属を埋め込み、埋め込んだ該金属に接触するように、前記半導体基板の表裏両面に熱伝導性を有する金属を取り付け、前記半導体基板の表面に取り付けた該金属を、パッケージおよびリッドに接触させ、前記半導体基板の裏面に取り付けた該金属を、フリップチップ実装した電極とは分離させて、前記パッケージに接触させた構造の半導体集積回路装置とすることを特徴とする。
【０００８】
第３の技術手段は、前記第１または第２の技術手段に記載の半導体集積回路装置において、各前記金属の代わりに、冷却効果の大きい他の材料を用いることを特徴とする。
【０００９】
第４の技術手段は、前記第３の技術手段に記載の半導体集積回路装置において、前記金属の代わりに用いる前記他の材料として、炭素または樹脂の材料を用いることを特徴とする。
【００１０】
第５の技術手段は、半導体基板上に集積回路を形成した後、ビアホールを形成する第１の工程と、形成した該ビアホールに熱伝導性を有する金属を埋め込む第２の工程と、埋め込んだ該金属に接触するように、前記半導体基板の表裏両面に熱伝導性を有する金属を取り付ける第３の工程と、前記半導体基板の裏面に取り付けた該金属を、パッケージに接触させる第４の工程と、前記半導体基板の表面に取り付けた該金属を、リッドおよび前記パッケージに接触させる第５の工程と、を少なくとも有する半導体集積回路装置の製造方法とすることを特徴とする。
【００１１】
第６の技術手段は、半導体基板上に集積回路を形成した後、ビアホールを形成する第１の工程と、形成した該ビアホールに熱伝導性を有する金属を埋め込む第２の工程と、埋め込んだ該金属に接触するように、前記ビアホールの表裏両面に熱伝導性を有する金属を取り付ける第３の工程と、前記半導体基板の裏面に取り付けた該金属を、フリップチップ実装した電極とは分離させて、パッケージに接触させる第４の工程と、前記半導体基板の表面に取り付けた該金属を、リッドおよび前記パッケージに接触させる第５の工程と、を少なくとも有する半導体集積回路装置の製造方法とすることを特徴とする。
【００１２】
第７の技術手段は、前記第６の技術手段に記載の半導体集積回路装置の製造方法において、前記第４の工程として、前記半導体基板の裏面に取り付けた前記金属を前記パッケージに接触させるために、フリップチップボンディングを行うことを特徴とする。
【００１３】
第８の技術手段は、前記第５ないし第７の技術手段のいずれかに記載の半導体集積回路装置の製造方法において、前記第２および第３の工程にて用いた各前記金属の代わりに、冷却効果の大きい他の材料を用いることを特徴とする。
【００１４】
第９の技術手段は、前記第８の技術手段に記載の半導体集積回路装置の製造方法において、前記金属の代わりに用いる前記他の材料として、炭素または樹脂の材料を用いることを特徴とする。
【００１５】
第１０の技術手段は、前記第５ないし第９の技術手段のいずれかに記載の半導体集積回路装置の製造方法において、前記ビアホールは、レジスト、ＳｉＯ２、ＳｉＮ、ＮｉまたはＴｉのいずれかをマスクとして、塩素系、ブロム系、ヨウ素系のいずれかのガスを用いたリアクティブイオンエッチングにより形成することを特徴とする。
【発明の効果】
【００１６】
本発明の半導体集積回路装置および半導体集積回路装置の製造方法によれば、半導体基板上のトランジスタに近い個所を直接冷却することが可能な構造を採用しているので、以下のごとき効果を奏することができる。
【００１７】
第１の効果は、サブミリ波帯(３０〜３００ＧＨｚ)の高周波帯に及ぶまで安定して動作することが可能な半導体集積回路モジュールを製造することができることである。
【００１８】
第２の効果は、パワー密度の高いトランジスタであっても安定して動作することが可能な半導体集積回路モジュールを製造することができることである。
【図面の簡単な説明】
【００１９】
【図１】本発明に係る半導体集積回路装置の断面構造の一例を示す模式図である。
【図２】本発明に係る半導体集積回路装置の製造方法としてフリップチップ実装方法を適用した場合の半導体集積回路装置の断面構造の一例を示す模式図である。
【発明を実施するための形態】
【００２０】
以下に、本発明に係る半導体集積回路装置および半導体集積回路装置の製造方法の好適な実施形態について、その一例を、図面を参照しながら詳細に説明する。
【００２１】
（本発明の特徴）
本発明の実施形態の説明に先立って、本発明の特徴についてその概要をまず説明する。本発明は、半導体基板上の集積回路のトランジスタに近い個所を直接冷却することを可能として、半導体基板の冷却効果を向上させ、而して、トランジスタの冷却効果を向上させて、半導体集積回路の動作を安定させることを可能としていることを主要な特徴としている。
【００２２】
より具体的には、半導体基板にビアホールを形成し、当該ビアホールに熱伝導性を有する金属を埋め込む（つまり、半導体ウェハを貫通させたビアホールに熱伝導性を有する金属を埋め込む）とともに、半導体基板の表裏両面に、当該ビアホールに埋め込んだ金属に接触するように熱伝導性を有する金属を取り付け、取り付けた当該金属を、パッケージやリッドに接触させて実装した構造とすることを特徴としている。
【００２３】
（本発明の実施形態）
次に、本発明に係る半導体集積回路装置の製造方法の実施形態について、その一例を、図１を用いて説明する。図１は、本発明に係る半導体集積回路装置の断面構造の一例を示す模式図である。
【００２４】
図１の断面構造に示すように、本半導体集積回路装置においては、半導体基板１に、集積回路のトランジスタの近傍を直接冷却するための適切な位置としてあらかじめ定めた複数の位置にビアホール２を形成し、形成した各ビアホール２には熱伝導性を有する金属３を埋め込む。さらに、各ビアホール２に埋め込んだ金属３に接触するように、半導体基板１の表裏両面に金属４，５を取り付け、表面側に取り付けた金属４を、パッケージ６およびリッド７に接触させ、裏面側に取り付けた金属５を、パッケージ６に接触させる。
【００２５】
また、小型化・薄型化・高密度化を図るために、チップ上に直接電極を形成して接合するフリップチップ実装（ＦＴＡ：Flip  Tip  Attach）を採用した場合の半導体集積回路の断面構造の一例を図２に示している。図２は、本発明に係る半導体集積回路装置の製造方法としてフリップチップ実装方法を適用した場合の半導体集積回路装置の断面構造の一例を示す模式図である。
【００２６】
図２の断面構造に示すように、フリップチップ実装方法を適用した場合においても、図１の場合と同様に、半導体基板１に、集積回路のトランジスタの近傍を直接冷却するための適切な位置としてあらかじめ定めた複数の位置にビアホール２を形成し、形成した各ビアホール２には熱伝導性を有する金属３を埋め込む。さらに、各ビアホール２に埋め込んだ金属３に接触するように、半導体基板１の表裏両面に熱伝導性を有する金属４，５を取り付け、表面側に取り付けた金属４を、パッケージ６およびリッド７に接触させ、裏面側に取り付けた金属５を、電極８とは分離させて、パッケージ６に接触させる。
【００２７】
なお、熱伝導性を有する金属３，４，５の代わりに、熱伝導性を有し、冷却効果が大きい他の材料例えば炭素や樹脂等の材料を用いて構成するようにしても良い。
【００２８】
かくのごとき実装方法を用いることによって、半導体基板１上のトランジスタに近い個所を直接冷却することが可能となり、而して、トランジスタの冷却効果を向上させて、半導体集積回路の動作を安定させることが可能となる。その結果、例えば、サブミリ波帯(３０〜３００ＧＨｚ)の高周波帯に及ぶまで安定して動作する半導体集積回路モジュールを製造することができ、また、パワー密度の高いトランジスタであっても安定して動作する半導体集積回路モジュールを製造することができる。
【００２９】
次に、図１、図２に示す断面構造の半導体集積回路装置の製造方法に関する具体的な実施例について、いくつかの例を説明する。
【実施例１】
【００３０】
本実施例は、図１に示した断面構造の半導体集積回路装置の製造方法の一例を示すものである。半導体基板１のＩｎＰ基板またはＧａＡｓ基板の上に半導体集積回路を製作した後、第１の工程として、100μm□(または100μmφ)程度のビアホール２を、半導体集積回路のトランジスタの近傍を直接冷却するための適切な位置としてあらかじめ定めた複数の位置に形成する。ここで、該ビアホール２を形成するためには、例えば、レジスト、ＳｉＯ２、ＳｉＮ、ＮｉまたはＴｉ等をマスクとして、塩素系、ブロム系、ヨウ素系等のガスを用いたリアクティブイオンエッチング（Reactive  Ion  Etching）を行う。
【００３１】
次に、第２の工程として、メッキにより、形成したビアホール２に熱伝導性を有する金属３を埋め込む。
【００３２】
次に、第３の工程として、ビアホール２に埋め込んだ金属３に接触するように、半導体基板１の表裏に金属４，５をメッキまたはリフトオフ法により形成する。
【００３３】
次に、第４の工程として、半導体基板１の裏面上に取り付けた金属５すなわちビアホール２に埋め込んだ金属３の裏面上に形成した金属５をパッケージ６に接触するように、ダイボンディングを行う。
【００３４】
しかる後、半導体基板１上の集積回路とパッケージ６とにワイヤーボンディング等により配線を形成した後、第５の工程として、パッケージ６とリッド７とに、半導体基板１の表面上に取り付けた金属４すなわちビアホール２に埋め込んだ金属３の表面上に形成した金属４を接触させるようにして、封止を行う。
【実施例２】
【００３５】
本実施例は、図２に示した断面構造の半導体集積回路装置の製造方法の一例を示すものである。半導体基板１のＩｎＰ基板またはＧａＡｓ基板の上に半導体集積回路を製作した後、実施例１の場合と同様、第１の工程として、100μm□(または100μmφ)程度のビアホール２を、半導体集積回路のトランジスタの近傍を直接冷却するための適切な位置としてあらかじめ定めた複数の位置に形成する。ここで、該ビアホール２を形成するためには、実施例１の場合と同様に、例えば、レジスト、ＳｉＯ２、ＳｉＮ、ＮｉまたはＴｉ等をマスクとして、塩素系、ブロム系、ヨウ素系等のガスを用いたリアクティブイオンエッチング（Reactive  Ion  Etching）を行う。
【００３６】
次に、実施例１の場合と同様、第２の工程として、メッキにより、形成したビアホール２に熱伝導性を有する金属３を埋め込む。
【００３７】
次に、実施例１の場合と同様、第３の工程として、ビアホール２に埋め込んだ金属３に接触するように、半導体基板１の表裏に金属４，５をメッキまたはリフトオフ法により形成する。
【００３８】
次に、実施例１の場合とは異なり、第４の工程として、半導体基板１の裏面上に取り付けた金属５すなわちビアホール２に埋め込んだ金属３の裏面上に形成した金属５を、フリップチップ実装した電極８とは分離させて、パッケージ６に接触するように、フリップチップボンディングを行う。
【００３９】
しかる後、半導体基板１上の集積回路とパッケージ６とにワイヤーボンディング等により配線を形成した後、実施例１の場合と同様に、第５の工程として、パッケージ６とリッド７とに、半導体基板１の表面上に取り付けた金属４すなわちビアホール２に埋め込んだ金属３の表面上に形成した金属４を接触させるようにして、封止を行う。
【実施例３】
【００４０】
本実施例は、前述の実施例１および実施例２における、金属３，４，５の代わりに、冷却効果の大きい炭素を用いるものである。
【実施例４】
【００４１】
本実施例は、前述の実施例１および実施例２における、金属３，４，５の代わりに、冷却効果の大きい樹脂を用いるものである。
【符号の説明】
【００４２】
１…半導体基板、２…ビアホール、３…金属、４…金属、５…金属、６…パッケージ、７…リッド、８…電極。
【図１】
2011142199.tif 000003
【図２】
2011142199.tif 000004